(57)【特許請求の範囲】
【請求項１】
ユーザによる指示に応じて、メモリに保存されている複数の画像から、合成対象の画像を選択する選択手段と；
上記選択手段によって選択された画像に対応する参照画像と、上記選択手段によって選択された画像と合成される情報をユーザが付加するための領域とを具備するシートを、印刷装置に印刷させる印刷制御手段と；
を有し、上記印刷制御手段は、上記印刷装置により印刷されるシートを折り曲げて透かすことによって、上記領域に付加される情報と上記選択手段により選択された画像との合成結果をユーザが把握することができる位置に、上記領域と上記参照画像とが配置されるように上記シートを印刷させることを特徴とする画像処理装置。
【請求項２】
ユーザによる指示に応じて、メモリに保存されている複数の画像から、合成対象の画像を選択する選択手段と；
上記選択手段によって選択された画像に対応する参照画像と、上記画像と合成される情報をユーザが付加するための領域とを具備するシートを、印刷装置に印刷させる印刷制御手段と；
を有し、上記印刷制御手段は、上記印刷装置により印刷されるシートを透かすことによって、上記領域に付加される情報と上記選択手段により選択された画像との合成結果をユーザが把握できるように、上記参照画像と上記領域とを異なる面に具備するシートを印刷させることを特徴とする画像処理装置。
【請求項３】
請求項２において、
上記選択手段により選択された上記メモリに保存されている画像に基づき、上記画像の鏡像となる画像を生成する生成手段を有し、
上記印刷制御手段は、上記生成手段により生成された画像を参照画像として、上記シートの上記領域の裏面に印刷させることを特徴とする画像処理装置。
【請求項４】
請求項１乃至３のいずれか１項において、
上記印刷制御手段により印刷されたシートの上記領域にユーザにより付加された情報を読取装置が読み取って得られた画像を取得する取得手段と；
上記取得手段が取得した画像と、上記メモリに保存されている、上記参照画像に対応する画像とを合成する合成手段と；
を有することを特徴とする画像処理装置。
【請求項５】
請求項４において、
上記合成手段による合成により得られた画像を、上記印刷装置に印刷させる第２の印刷制御手段を有することを特徴とする画像処理装置。
【請求項６】
請求項１乃至５のいずれか１項において、
外部メモリを接続するための接続部を有し、上記選択手段は、上記接続部に接続されている外部メモリに保存されている画像を選択することを特徴とする画像処理装置。
【請求項７】
ユーザによる指示に応じて、メモリに保存されている複数の画像から、合成対象の画像を選択する選択工程と；
上記選択工程において選択された画像に対応する参照画像と、上記選択工程において選択された画像と合成される情報をユーザが付加するための領域とを具備するシートを、印刷装置に印刷させる印刷制御工程と；
を有し、上記印刷制御工程では、上記印刷装置により印刷されるシートを折り曲げて透かすことによって、上記領域に付加される情報と上記選択工程において選択された画像との合成結果をユーザが把握することができる位置に、上記領域と上記参照画像とが配置されるように上記シートを印刷させることを特徴とする画像処理方法。
【請求項８】
ユーザによる指示に応じて、メモリに保存されている複数の画像から、合成対象の画像を選択する選択工程と；
上記選択工程において選択された画像に対応する参照画像と、上記選択工程において選択された画像と合成される情報をユーザが付加するための領域とを具備するシートを、印刷装置に印刷させる印刷制御工程と；
を有し、上記印刷制御工程では、上記印刷装置により印刷されるシートを透かすことによって、上記領域に付加される情報と上記選択工程において選択された画像との合成結果をユーザが把握できるように、上記参照画像と上記領域とを異なる面に具備するシートを印刷させることを特徴とする画像処理方法。
【請求項９】
請求項８において、
上記選択工程において選択された上記メモリに保存されている画像に基づき、上記画像の鏡像となる画像を生成する生成工程を有し、
上記印刷制御工程は、上記生成工程により生成された画像を参照画像として、上記シートの上記領域の裏面に印刷させることを特徴とする画像処理方法。
【請求項１０】
請求項７乃至９のいずれか１項において、
上記印刷制御工程により印刷されたシートの上記領域にユーザにより付加された情報を読取装置が読み取って得られた画像を取得する取得工程と；
上記取得工程において取得された画像と、上記メモリに保存されている、上記参照画像に対応する画像とを合成する合成工程と；
を有することを特徴とする画像処理方法。
【請求項１１】
請求項１０において、
上記合成工程における合成により得られた画像を、上記印刷装置に印刷させる第２の印刷制御工程を有することを特徴とする画像処理方法。
【請求項１２】
請求項７乃至１１のいずれか１項に記載の画像処理方法をコンピュータに実行させるためのプログラム。
【発明の詳細な説明】
【技術分野】
【０００１】
本発明は、画像処理装置、画像処理装置の制御方法およびプログラムに関する。
【背景技術】
【０００２】
近年、印刷装置において、印刷するだけでなく読取機能やメモリカード挿入口など、複合的な機能をもつ装置が増えている。
【０００３】
その中で、メモリカード内の画像と、読取部で読み込んだデータとを合成し、印刷する方法が知られている（たとえば、特許文献１参照）。
【０００４】
この従来例は、メモリカードの画像と、読取部で読み取ったデータとを組み合わせて合成する機能を、画像処理装置に持たせ、この合成結果を印字する従来例である。
【０００５】
この際に、読取部で読み取るデータを書くためのシートを、印刷装置で印刷することもできる。上記シートには、合成する内容を手で書く領域を設け、ユーザは、この領域に、合成したい内容を書き、読み取ることによって、合成する。
【特許文献１】特開平０５−１２２４９６号公報
【発明の開示】
【発明が解決しようとする課題】
【０００６】
合成したい内容を書く場合、合成される画像をシート内に印刷し、この印刷された画像上に書くことが、ユーザには一番便利である。
【０００７】
しかし、シート内に、画像と手書きされた内容とが重なっていると、上記手書きされた内容のみを抽出することが、困難である。このために、参照画像領域と手書きする領域とを、互いに別にしなければならず、ユーザには不便であるという問題がある。
【０００８】
本発明は、合成されるべき画像をシート内に印刷し、この印刷された画像上に、ユーザが所望の画像を手書きし、上記合成されるべき画像と上記手書画像とを合成する場合の画像処理装置、画像処理装置の制御方法およびプログラムである。
【０００９】
本発明は、ユーザの思惑とおりの合成を行うことができ、ユーザビリティの向上、機能の優位性をより引き出すことができる画像処理装置、画像処理装置の制御方法およびプログラムを提供することを目的とするものである。
【課題を解決するための手段】
【００１０】
本発明の画像処理装置は、ユーザによる指示に応じて、メモリに保存されている複数の画像から、合成対象の画像を選択する選択手段と、上記選択手段によって選択された画像に対応する参照画像と、上記選択手段によって選択された画像と合成される情報をユーザが付加するための領域とを具備するシートを、印刷装置に印刷させる印刷制御手段とを有し、上記印刷制御手段は、上記印刷装置により印刷されるシートを折り曲げて透かすことによって、上記領域に付加される情報と上記選択手段により選択された画像との合成結果をユーザが把握することができる位置に、上記領域と上記参照画像とが配置されるように上記シートを印刷させることを特徴とする。
【発明の効果】
【００１１】
本発明によれば、画像処理装置に挿入されているメモリカード内の画像と、シートから読み取ったデータとを合成して印刷する場合、シートに合成内容を書く領域に、画像を重ねて印刷せずに、合成した状態を、擬似的に実現することができるという効果を奏する。
【００１２】
つまり、本発明によれば、シートに合成したい内容をユーザが書く場合、合成結果を仮想的に実現しながら作業することができるという効果を奏する。
【００１３】
本発明によれば、シートを読み取った内容と画像とを合成する場合、ユーザの思惑とおりの合成を行うことができ、ユーザビリティの向上、機能の優位性をより引き出すことができるという効果を奏する。
【発明を実施するための最良の形態】
【００１４】
発明を実施するための最良の形態は、次の実施例である。
【実施例１】
【００１５】
図１は、本発明の実施例１である画像処理システムを構成する画像処理装置１００の概略構成を示すブロック図である。
【００１６】
ＣＰＵ１０１は、システム制御部であり、画像処理装置１００の全体を制御する。
【００１７】
ＲＯＭ１０２は、ＣＰＵ１０１が実行する制御プログラムや組み込みオペレーティングシステム（ＯＳ）プログラム等を格納する。実施例１では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１８】
ＲＡＭ１０３は、ＳＲＡＭ（ｓｔａｔｉｃ  ＲＡＭ）等で構成され、プログラム制御変数等を格納し、また、オペレータが登録した設定値や、画像処理装置１００の管理データ等を格納し、各種ワーク用バッファ領域が設けられている。
【００１９】
画像メモリ１０４は、ＤＲＡＭ（ｄｙｎａｍｉｃ  ＲＡＭ）等で構成され、画像データを蓄積する。
【００２０】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２１】
読取部１０７は、ＣＩＳイメージセンサ（密着型イメージセンサ）によって原稿を光学的に読み取り、電気的な画像データに変換する。
【００２２】
読取制御部１０６は、読取部１０７が出力した画像信号を、図示しない画像処理制御部を介して、２値化処理や中間調処理等の各種画像処理を施し、高精細な画像データを出力する。なお、実施例１では、読取制御部１０６は、原稿を搬送しながら読み取りを行うシート読取制御方式と、原稿台にある原稿をスキャンするブック読取制御方式の両制御方式とに対応している。
【００２３】
操作表示部１０８は、数値入力キー、文字入力キー、ワンタッチ電話番号キー、モード設定キー、決定キー、取り消しキー等を備えている。また、操作表示部１０８は、画像送信相手先データの決定や登録値の設定データや省エネモードの設定の登録動作を、ユーザが行うための操作部を備えている。操作表示部１０８は、各種キー、ＬＥＤ（発光ダイオード）とＬＣＤ（液晶ディスプレイ）等を備え、オペレータによる各種入力操作や、画像処理装置１００の動作状況、ステータス状況の表示等を行う表示部である。
【００２４】
通信制御部１０９は、ＭＯＤＥＭ（変復調装置）や、ＮＣＵ（網制御装置）等によって構成されている。実施例１では、通信制御部１０９は、アナログの通信回線（ＰＳＴＮ）１３１に接続され、Ｔ３０プロトコルでの通信制御、通信回線に対する発呼と着呼等の回線制御を行う。
【００２５】
解像度変換処理部１１０は、画像データのミリ−インチ解像度変換等の解像度変換制御を行う。なお、解像度変換処理部１１０において、画像データの拡大縮小処理も可能である。
【００２６】
符号復号化処理部１１１は、画像処理装置１００で扱う画像データ（ＭＨ、ＭＲ、ＭＭＲ、ＪＢＩＧ、ＪＰＥＧ等）を、符号復号化処理や、拡大縮小処理を行う。
【００２７】
記録制御部１１２は、印刷される画像データに対し、図示しない画像処理制御部を介して、スムージング処理や記録濃度補正処理、色補正等の各種画像処理を施し、高精細な画像データに変換し、記録部１１３（後述）に出力する。また、記録部１１３を制御することにより、定期的に記録部１１３の状態情報を取得する役割も果たす。
【００２８】
記録部１１３は、レーザビームプリンタやインクジェットプリンタ等からなる印刷装置であり、カラー画像データ、またはモノクロ画像データを印刷部材に印刷する。
【００２９】
給紙部１１４は、印刷のための用紙を保持することができる部位である。記録制御部１１２からの制御によって、給紙部１１４から給紙を行うことができる。特に、給紙部１１４は、複数種類の用紙を１つの装置に保持するために、複数の給紙部を用意することができる。そして、記録制御部１１２が、どの給紙部から給紙を行うかを制御する。
【００３０】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換する。そして、ＵＳＢファンクション制御部１１５は、外部の情報処理端末に、ＵＳＢパケット送信をする。逆に、ＵＳＢファンクション制御部１１５は、外部の情報処理端末からのＵＳＢパケットを、データに変換してＣＰＵ１０１に送信する。
【００３１】
データ蓄積部１１６は、データを蓄積するための部位である。画像メモリ１０４におけるＤＲＡＭでは、データバックアップ用の領域を用意していないので、実施例１では、データ蓄積部として、データ保存領域を用意している。画像メモリ１０４と共有する場合もある。データ蓄積部１１６にデータをバックアップすることができる。実施例１では、ＤＲＡＭを用いているが、ハードディスクや揮発性メモリ等を、データ蓄積部１１６として使用するようにしてもよい。
【００３２】
ＵＳＢホスト制御部１１７は、ＵＳＢ通信規格で定められているプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。
【００３３】
メモリカード１１８は、データ記憶媒体であり、画像処理装置１００に接続することができる。実施例１では、ＵＳＢホスト制御部１１７とインタフェースとで接続されているが、この限りではない。メモリカード１１８には、画像のデータやその他電子データは、ＵＳＢホスト制御部１１７を通じて、メモリカード内のデータにアクセスすることができる。
【００３４】
実施例１において、記録機能のＵＳＢ通信は、１対１の接続形態を用いる。
【００３５】
上記構成要素１０１〜１０６、１０８〜１１４は、ＣＰＵ１０１が管理するＣＰＵバス１２１を介して、相互に接続されている。
【００３６】
図２は、画像処理装置１００における操作表示部１０８の具体例を示す図である。
【００３７】
操作表示部１０８は、ＬＣＤ２０１と、電源キー２０２と、コピーモードキー２０３と、フィルムモードキー２０４と、スキャンモードキー２０５と、フォトモードキー２０６と、メニューキー２０７と、プリントシートキー２０８とを有する。また、操作表示部１０８は、スキャンシートキー２０９と、マイナスキー２１０と、プラスキー２１１と、セットキー２１２と、スライドショーキー２１３と、用紙設定キー２１４とを有する。さらに、操作表示部１０８は、フィーダセレクトキー２１５と、ＳＴＯＰキー２１６と、モノクロスタートキー２１７と、カラースタートキー２１８とを有する。
【００３８】
ＬＣＤディスプレイ２０１は、メッセージやオペレーションプロンプト、各種情報を表示するディスプレイである。
【００３９】
電源キー２０２は、装置の電源をＯＮ／ＯＦＦするためのキーである。
【００４０】
コピーモードキー２０３は、画像処理装置１００をコピーできる状態にするためのキーである。コピーモードキー２０３を押下することによって、画像処理装置１００をコピーモードにすることができる。
【００４１】
フィルムモードキー２０４は、画像処理装置１００を、フィルムからの印刷ができる状態にするためのキーである。フィルムモードキー２０４を押下することによって、画像処理装置１００をフィルムモードにすることができる。
【００４２】
スキャンモードキー２０５は、画像処理装置１００をスキャンができる状態にするためのキーである。スキャンモードキー２０５を押下することによって、画像処理装置１００をスキャンモードにすることができる。
【００４３】
フォトモードキー２０６は、画像処理装置１００をデジタル写真のカードやカメラからのダイレクト印刷ができる状態にするためのキーである。フォトモードキー２０６を押下することによって、画像処理装置１００をフォトモードにすることができる。
【００４４】
メニューキー２０７は、コピーやファックス、カードからのダイレクト印刷などの実行時の設定値を設定する項目を表示するためのキーである。メニューキー２０７を押下することによって、実行用の設定項目をＬＣＤ２０１に表示することができ、プラスキー２１１やマイナスキー２１０などで選択し、セットキー２１２でセットすることができる。
【００４５】
プリントシートキー２０８は、シートを印刷するためのキーである。画像処理装置１００におけるシートは、手書き合成シートである。手書きシートの詳細については、図３で後述する。
【００４６】
スキャンシートキー２０９は、シートを読み取るためのキーである。画像処理装置１００においては、プリントシートキー２０８によって印刷したシートを、読取部１０７を使用して、シートにかかれた情報を読み取り、ジョブを行うことができる。その際に、シートの読取を指示するキーである。
【００４７】
マイナスキー２１０、プラスキー２１１は、メニューやユーザ登録など、ユーザが複数の選択肢から選択する際に使用されるキーである。マイナス、プラスは、それぞれ逆順、正順である。
【００４８】
セットキー２１２は、選択された項目を決定するキーである。スライドショーキー２１３は、表示を用いてメモリカード１１８の画像を操作表示部１０８に、順に表示するためのキーである。
【００４９】
用紙設定キー２１４は、押すことによって、コピーやその他印刷の設定における用紙設定を行うキーである。フィーダセレクトキー２１５は、給紙部１１４が、複数の給紙部位を持つ際に、使用する給紙部に切り換える場合に使用するキーである。
【００５０】
ＳＴＯＰキー２１６は、ファクシミリ送受信、コピーやその他のオペレーション操作を停止させるキーである。モノクロスタートキー２１７は、白黒ファクシミリ送信、白黒コピーなどを開始するキーである。カラースタートキー２１８は、カラーファクシミリ送信、カラーコピー、カラー写真印刷などを開始するキーである。
【００５１】
図３は、ユーザ記述用シート３０１を示す図である。
【００５２】
ユーザ記述用シート３０１は、画像処理装置１００の操作表示部１０８を使用して、印刷することができるシートである。ユーザ記述用シート３０１を使用して、ＵＳＢホスト制御部１１７に接続されたメモリカード１１８に保存されている画像と、ユーザ記述用シート３０１に書かれている内容とを合成処理する。
【００５３】
具体的な方法としては、まず画像処理装置１００において、ユーザ記述用シート３０１を印刷するための設定を、操作表示部１０８を介して実行し、記録部１１３より印刷を行う。印刷されたユーザ記述用シート３０１に、合成したい内容を記述する記述領域３０３がある。ユーザ記述用シート３０１の記述領域３０３を、読取部１０７が読み取り、画像処理装置１００が参照できる画像と合成し、この合成結果を、記録部１１３が印刷することによって、合成の処理が可能となる。
【００５４】
なお、実施例１では、ユーザ記述用シート３０１の印刷方法としてプリントシートキー２０８を使用して印刷することができる。また、ユーザ記述用シート３０１の印刷の詳細に関しては、図５に示し、ユーザ記述用シート３０１を読み取って合成する動作の詳細に関しては、図６に示してある。
【００５５】
情報指定領域３０２は、ユーザ記述用シート３０１を合成のための情報指定領域である。実施例１では、合成した画像をどのサイズで印刷するかを指定するサイズ指定が可能である。実施例１では、ここをマークシート形式とし、サイズに対応したマークを用意している。合成を行うために、読取部１０７によって、ユーザ記述用シート３０１を読み込んだ際に、情報指定領域３０２を読み込み、マークされたサイズにしたがって、合成画像の出力サイズを決定する。
【００５６】
記述領域（手書きエリア）３０３は、合成される内容を記述するための記述領域である。この記述領域３０３に書き、合成処理を行うときに、読取部１０７によってシート３０１を読み取った場合、手書きエリア３０３に書いてある内容を合成内容とする。実施例１では、合成する際に下地の白を透過し、ペンなどでユーザが書いた文字／イラストや、印刷された画像（文字／イラスト）３０５を合成内容であるとして判断し、合成処理に使用することができる。
【００５７】
合成画像のサンプル印字領域３０４は、合成画像をサンプル印字する領域である。ユーザ記述用シート３０１による合成処理を行う際には、記述領域３０３の読取データと、合成画像のサンプル印字領域３０４に印字されている画像とを合成する。
【００５８】
ただし、これは、記述領域３０３にユーザが記載する際に、どのような画像と合成するのかを示すサンプルであり、実際の合成処理では、合成対象としての画像データを、ユーザ記述用シート３０１から抽出するわけではない。
【００５９】
記述領域３０３とサンプル印字領域３０４とは、同じサイズであり、記述領域３０３に記述する際に、実寸がわかるようになっている。
【００６０】
文字／イラスト３０５は、ユーザ記述用シート３０１を印刷する際にユーザが選択した文字／イラストである。データ自体は、ユーザ記述用シート３０１を印刷する装置内に存在するが、ユーザ記述用シート３０１の記述領域３０３に、シート印刷時に一緒に印刷してある。
【００６１】
ユーザ記述３０６は、ユーザが実際にシートに記述した内容の一例である。ユーザ記述３０６は、合成に使用したい記述を記述領域３０３内にユーザが書いたものであり、シート印刷時には、まだ存在していない。
【００６２】
ユーザ記述用シート３０１を使用した合成処理を行う際、記述領域３０３を読み取り、合成する内容として、文字／イラスト３０５とユーザ記述３０６とを１つの合成対象として読み出す。そして、サンプル印字領域３０４に印字されている画像と合成する。
【００６３】
バーコード３０７は、シートの中に情報を埋め込んである。
【００６４】
実施例１では、合成する対象として選択された画像の情報を埋め込んである。このデータを読み取って解析することによって、画像情報を抜き出すことができる。
【００６５】
図３における合成は、上記合成処理を行い、印刷を行った場合の一例である。ユーザ記述用シート３０１を用いて合成した場合、記述領域３０３に記述されているユーザ記述３０６と文字／イラスト３０５と、サンプル印字領域３０４に印刷されたサンプル画像の元データ（写真画像）とを合成処理し、この合成結果を印字することができる。
【００６６】
実施例１において、合成処理は、１回であり、文字／イラスト３０５と、ユーザ記述３０６と、画像データとの３つの対象を合成することができる。
【００６７】
実施例１では、ユーザ記述用シート３０１に変更を加えたものである。
【００６８】
図４は、シート３０１を印刷するための画像、文字／イラストを選択するための説明図である。
【００６９】
ユーザ記述用シート３０１は、サンプル印字領域３０４に印字すべきサンプルに対応する写真画像と、文字／イラスト３０５とが必要である。このために、シート印刷前には、上記内容を選択する必要がある。この場合、操作表示部１０８の表示部に、表示される。
【００７０】
図４（ａ）において、画面４０１は、画像を選択するために、ＬＣＤ２０１に表示する画面の例である。ＬＣＤ２０１には、合成に使用する候補の画像４０２が表示されている。この表示において、操作表示部１０８のマイナス／プラスキー２１０、２１１を押すことによって、画像を選択することができ、セットキー２１２によって決定する。
【００７１】
図４（ｂ）において、画面４０３は、文字／イラストを選択するために、ＬＣＤ２０１に表示する画面の例である。印刷／合成で実際に使用する文字／イラスト候補４０４がＬＣＤ２０１に表示される。
【００７２】
本表示において、操作部のマイナス／プラスキー２１０、２１１を操作することによって、文字／イラストの選択が可能であり、セットキー２１２によって決定する。
【００７３】
図５は、実施例１におけるユーザ記述用シートを印刷する操作を示すフローチャートである。
【００７４】
実施例１では、操作表示部１０８の中にプリントシートキー２０８があり、これを使用して印刷操作を行う。また、ＬＣＤ２０１は、画像や文字／イラストなどを表示することができる。
【００７５】
ステップ５０１では、印刷するユーザ記述用シートを選択する。実施例１では、図２に示す操作表示部１０８のプリントシートキー２０８において、ユーザ記述用シートの印刷を選択することができる。
【００７６】
次に、ステップ５０２では、操作表示部１０８のＬＣＤ２０１に接続されているメモリカード１１８の中に保存されている画像を表示する。実施例１では、図４（ａ）に示すような画面となる。
【００７７】
ステップ５０３では、ユーザが、操作表示部１０８のマイナス／プラスキー２１０、２１１を使用して、ユーザ記述用シートを選択する。そして、セットキー２１２でセットする。このステップ５０３で、画像が選択されたら、次のステップ５０４に移る。まだ画像が選択されていなければ、引き続きステップ５０２で、画像表示を行う。
【００７８】
次に、ステップ５０４では、ユーザ記述用シートを印刷する。この場合、ステップ５０３で選択された画像に基づいて、画像処理装置１００のデータ蓄積部１１６のユーザ記述用データから読み出したユーザ記述用シートを、記録部１１３が印刷する。
【００７９】
図６は、印刷したユーザ記述用シートを読み込み、合成処理する動作を示すフローチャートである。
【００８０】
図６は、図５で印刷したユーザ記述用シートを、読取部１０７が読み取り、シートの読取部位と、画像処理装置の画像とを合成する動作を示すフローチャートである。
【００８１】
この場合、ユーザ記述用シートを、図５に示す処理によって印刷した後に、図５のステップ５０２で選択した画像と、ユーザが合成することを望む内容とを、記述領域３０３に記述した後に、実際に合成する。
【００８２】
まず、ステップ６０１では、操作表示部１０８を用いて「ユーザ記述用シート読取＆写真印刷」の項目を選択する。実施例１では、スキャンシートキー２０９を押下することによって、「ユーザ記述用シート読取＆写真印刷」を選択することができる。
【００８３】
次に、ステップ６０２では、ユーザ記述用シートを、読取部１０７の原稿台に置くように、操作表示部のＬＣＤ２０１に表示する。ステップ６０３では、原稿台にユーザ記述用シートが原稿台に置かれたことを確認する。この確認は、画像処理装置としての確認であってもよく、ユーザへの促しであってもよい。
【００８４】
ここで、ユーザ記述用シートが原稿台に置かれたことを確認したら、ステップ６０４に進み、確認できなければ、ステップ６０２で、ユーザ記述用シートを置くように、再び表示する。
【００８５】
ステップ６０４では、読取部１０７の原稿台に置かれたユーザ記述用シートを読み取る。こうして読み取ったデータを、画像メモリ１０４に保存する。次に、ステップ６０５では、先ほど読み取ったデータを解析する。この解析によって、合成する画像などの情報を、ユーザ記述用シートから入手する。そして、ステップ６０５では、合成を行う画像を入手したことによって、ステップ６０６では、ステップ５０２で選択した画像と、ステップ６０５で読取、解析を行った画像とを合成し、合成したものを印刷する。
【００８６】
図７は、実施例１において、ユーザ記述用シートを印刷する際の詳細動作を示すフローチャートである。
【００８７】
まず、ステップ７０１では、ユーザ記述用シートの表面を印刷する。ステップ７０２では、ステップ５０２で選択された画像を回転処理する。回転処理の詳細を図１１に示す。次に、ステップ７０３では、ユーザ記述用シートの裏面を印刷し、シート印刷を終了する。表面／裏面にどのようなものを印字するかを、図８に示す。
【００８８】
図８は、実施例１において使用するユーザ記述用シート８００を示す図である。
【００８９】
ユーザ記述用シート８００の表面８０１には、図３に示す情報指定領域３０２、ユーザ記述領域３０３、文字／イラスト３０５が印字される。
【００９０】
ユーザ記述用シート８００の裏面８０２には、合成画像サンプル印字８０３が存在している。ただし、サンプル印字領域３０４に印字すべきサンプルに対応する写真画像との差異は、画像を１８０度回転している点である。サンプル８０４は、ユーザ記述用シート８００を真中から折った場合のサンプルである。図８（ｃ）は、ユーザ記述用シート８００を折った場合に、裏面８０２に印刷されている合成画像サンプル８０３が透けている状態を示す図である。
【００９１】
ユーザ記述用シート８００を折り、裏面８０２に印刷されている合成画像サンプル印字８０３が透けている状態では、印刷画像としての方向が正しい。したがって、ユーザが合成したい記述を書く際に、透けているサンプル印字８０３をサンプルとしながら、記述することができる。
【００９２】
図９は、実施例１で合成する際に、シート印刷時に画像がどのように回転するかを示す図である。
【００９３】
画像９０１を回転した画像９０２を印刷し、画像９０３を回転した画像９０４を印刷し、画像９０５を回転した画像９０６を印刷し、画像９０７を回転した画像９０８を印刷する。
【００９４】
図１０は、ユーザ記述用シートを印刷したときに、裏面画像が回転する例を示す図である。
【００９５】
画像１００１については、回転して、画像１００２のように印刷する。本シートを作成する際、画像をどのように回転させればよいかを、１００３、１００４に示してある。
【００９６】
１００３は、図８に示すシートの表面を、上から下に印刷し（シートの先端から後端に向かって印刷し）、シートの裏面を、下から上に印刷する（シートの後端から先端向かって印刷する）場合には、画像を反転させる必要がないことを示している。
【００９７】
図９を見てわかるように、実際の画像に対して、シートに印刷する際は、１８０回転した状態になる。このために、シートの裏面を、下から上に印刷する（後端から先端に向かって印刷する）場合は、画像を回転することなく、シートを印刷する。
【００９８】
一方、１００４に示すように、シートの裏面を上から下に印刷する（シートの裏面を、その先端から後端に向かって印刷する）場合、画像を１８０度回転しなければ、シートの印刷結果として正しいものではないので、１８０度回転する。
【００９９】
図１１は、実施例１において、シート印刷時の回転処理を示すフローチャートである。
【０１００】
実施例１の印刷装置は、両面印刷を行う場合、１００４に示すように、シートの表面も裏面も、上から下に印刷する（シートの先端から後端に向かって印刷する）ので、図１１に示すように、シート印刷時の回転処理を行う。
【０１０１】
実施例１によれば、シートの裏面に、合成用のサンプル画像を印刷し、実際にユーザが記述する場合、透かして画像を見るので、合成の擬似的な結果を意識しながら記述することができる。
【実施例２】
【０１０２】
本発明の実施例２は、実施例１と比較すると、ユーザ記述用シート１２００の折り方を縦に長く折る実施例である。つまり、ユーザ記述用シート１２００を縦長にした場合、縦方向に折り目を付けて折り曲げ、ユーザ記述用シート１２００の裏面に記載されている参照画像を透かして見る実施例である。
【０１０３】
なお、実施例１における図１〜図７は、実施例２の場合と同様である。図８に対応するのが、図１２であり、図１０に対応するのが、図１３である。
【０１０４】
図１２は、実施例２であるユーザ記述用シート１２００を示す図である。
【０１０５】
ユーザ記述用シート１２００の表面１２０１には、図３に示す情報指定領域３０２、ユーザ記述領域３０３、文字／イラスト３０５が印字される。裏面１２０２は、ユーザ記述用シート１２００の裏面である。
【０１０６】
合成画像サンプル印字１２０３は、シートの縦方向に折る点が、実施例１とは異なる。サンプル１２０４は、ユーザ記述用シート１２００を、縦方向に真中から折った場合のサンプルである。１２０４は、折った場合に、裏面１２０２に印刷した合成画像サンプル１２０３が透けている状態を示す。折って、裏面１２０２から透けている状態で、印刷画像としての方向が正しいので、ユーザが合成したい記述を書く際に、透けている画像をサンプルとしながら記述できる。
【０１０７】
図１３は、ユーザ記述用シート１２００を印刷するときに、裏面画像を回転する仕様の例を示す図である。
【０１０８】
ユーザ記述用シート１２００を作成する際に、画像をどのように回転させればよいかを、１３０１、１３０２に示してある。１３０１は、図１２に示すシート１２００について、その表面を、シート１２００の上から下に印刷し（シート１２００の先端から後端に向かって印刷し）、その裏面を、シート１２００の下から上に印刷する（シート１２００の後端から先端に向かって印刷する）。実際の画像に対して、シートに印刷する際、１８０度回転した状態になる。このために、シートの裏面を、下から上に印刷する（シート１２００の後端から先端に向かって印刷する）場合、１８０度回転する処理を行う。一方、１３０２のように、シートの裏面も、上から下に印刷する（シート１２００の先端から後端に向かって印刷する）場合、回転処理を行わずに印刷する。
【０１０９】
実施例２では、両面印刷を行う場合、表面も裏面も、上から下に印刷するので１３０２のように、シート印刷時の回転処理を行わずに印刷する。
【０１１０】
実施例２によれば、シートの裏面に合成用のサンプル画像を印刷し、実際にユーザが記述する時には、透けた画像を見るので、合成の擬似的な結果を意識しながら記述を行うことができる。
【０１１１】
実施例１、２のようにシートを折ると、裏に印刷された画像が透けて見えるので、ユーザ記述領域に書く際に、擬似的に合成した状態を意識しながら記述するようなシートを作りことができ、ユーザビリティの高いユーザ記述用シートを印刷することができる。
【実施例３】
【０１１２】
本発明の実施例３は、実施例１において、ユーザ記述用シートの裏面に印刷された画像を透かして見るシートである。
【０１１３】
実施例３は、図１〜図７に関して、実施例１と同様である。図８に対応する図が、図１４であり、図９に対応する図が、図１５であり、図１０に対応する図が、図１６である。また、図７での画像回転の詳細を、図１７、図１８に示す。
【０１１４】
つまり、実施例１、実施例２は、シートを折って、その合成画像を透かして見るが、実施例３は、ユーザ記述用シートの裏面に印刷されている画像が透けて見えるシートを作成する実施例である。
【０１１５】
図１４は、本発明の実施例３であるユーザ記述用シート１４００を示す図である。
【０１１６】
ユーザ記述用シート１４００の表面１４０１には、図３に示す情報指定領域３０２、ユーザ記述領域３０３、文字／イラスト３０５が印字されている。ユーザ記述用シート１４００の裏面１４０２は、ユーザ記述用シート１４００の裏面である。
【０１１７】
１４０５は、ユーザ記述用シート１４００を透かして見た場合、その裏面に印刷されている合成画像サンプル１４０６が透けて見える状態を示している。裏面から透かして見た場合、印刷画像の方向が正しいので、ユーザが合成したい記述を書く際に、透けている画像をサンプルとしながら記述することができる。
【０１１８】
図１５は、実施例３において、合成する際の画像において、シート印刷時にどのように回転するかを示す図である。
【０１１９】
１５０１の画像は、１５０２に示すように、回転して印刷し、１５０３の画像は、１５０４に示すように、回転して印刷し、１５０５の画像は、１５０６に示すように、回転して印刷し、１５０７の画像は、１５０８に示すように、回転して印刷する。
【０１２０】
図１６は、ユーザ記述用シートを印刷するときに、裏面画像を回転する仕様の一例を示す図ある。
【０１２１】
本シートを作成する際には、画像をどのように回転させればよいかを、１６０１、１６０２に示している。１６０１は、ユーザ記述用シート１４００を、その表面を、上から下に印刷し（シートの先端から後端に向かって印刷し）、その裏面を、下から上に印刷する（シートの後端から先端に向かって印刷する）場合を示している。
【０１２２】
実際の画像に対してシートに印刷する際、印刷方向と垂直方向（直角方法）に反転し、さらに１８０度回転した状態になる。このために、シートの裏面を、下から上に印刷する（シートの後端から先端に向かって印刷する）場合、印刷方向と垂直方向に反転し、１８０度回転する。一方、１６０２に示すように、シートの裏面も、上から下に印刷する（シートの先端から後端に向かって印刷する）場合、印刷方向と垂直方向（直角方向）に反転すると、印刷する方向が合うので、回転せずに印刷する。
【０１２３】
実施例３での印刷装置は、両面印刷する場合、１６０２に示すように、シートの表面も裏面も、上から下に印刷する（シートの先端から後端に向かって印刷する）ので、１６０２に示すように、シート印刷時の回転処理を行わずに印刷する。
【０１２４】
図１７は、実施例３において、印刷方向を基準にして、画像を反転する場合の動作を示すフローチャートである。
【０１２５】
つまり、図１７は、図１６の１６０２に示す場合、図７に示すステップ７０２で、どのように処理するかを示すフローチャートである。ステップ１７０１では、印刷方向を基準として、画像を反転処理する。
【０１２６】
図１８は、実施例３において、印刷方向を基準にして、画像を反転し、さらに画像を１８０度回転させる動作を示すフローチャートである。
【０１２７】
つまり、図１８は、図１６の１６０１に示す場合に、図７に示すステップ７０２で、どのような処理を行うかを示すフローチャートである。
【０１２８】
ステップ１８０１において、画像を１８０度回転させる。次に、ステップ１８０２では、印刷方向を基準として、画像を反転処理する。
【０１２９】
実施例３によれば、シートの裏面に合成用のサンプル画像を印刷し、実際にユーザが記述するときには、透けて見える画像を見ることによって、合成の結果を擬似的に見ることができ、ユーザは、この擬似的な合成結果を意識しながら記述することができる。
【０１３０】
実施例３では、裏面に印刷された画像を透けて見せるので、記述領域にユーザが書く際に、擬似的な合成の状態を意識しながら、記述することができるシートを作ることができ、ユーザビリティの高いユーザ記述用シートを印刷することができる。
【０１３１】
なお、上記実施例をプログラムの発明であると把握することができる。
【０１３２】
つまり、上記実施例は、
写真画像保存手段に保存されている複数の写真画像の中から、所望の写真画像を選択する選択手順と、
上記選択手順によって選択された写真画像に対応する参照画像が印刷される参照画像領域と、写真画像と合成する手書き画像であって、ユーザが手書きすべき手書き画像を記入する手書き領域とを具備するユーザ記述用シートを作成するシート作成手順とをコンピュータに実行させるプログラムであって、
上記シート作成手順は、上記参照画像と上記手書き画像とを擬似的に重ね合わせることによって、合成結果を把握することができる位置に、上記手書き領域が配置されるように上記シートを作成する手順であるプログラムの例である。
【０１３３】
また、上記プログラムを、ＣＤ、ＤＶＤ、ＨＤ、半導体メモリ等の記憶媒体に記憶するようにしてもよい。
【産業上の利用可能性】
【０１３４】
シート印刷、および読取が可能な画像処理装置。
【図面の簡単な説明】
【０１３５】
【図１】本発明の実施例１である画像処理システムを構成する画像処理装置１００の概略構成を示すブロック図である。
【図２】画像処理装置１００における操作部１０８の具体例を示す図である。
【図３】ユーザ記述用シート３０１を示す図である。
【図４】シート３０１を印刷するための画像、文字／イラストを選択するための説明図である。
【図５】実施例１におけるユーザ記述用シートを印刷する操作を示すフローチャートである。
【図６】印刷したユーザ記述用シートを読み込み、合成処理する動作を示すフローチャートである。
【図７】実施例１において、ユーザ記述用シートを印刷する際の詳細動作を示すフローチャートである。
【図８】実施例１において使用するユーザ記述用シート８００を示す図である。
【図９】実施例１で合成する際に、シート印刷時に画像がどのように回転するかを示す図である。
【図１０】ユーザ記述用シートを印刷したときに、裏面画像が回転する例を示す図である。
【図１１】実施例１において、シート印刷時の回転処理を示すフローチャートである。
【図１２】実施例２であるユーザ記述用シート１２００を示す図である。
【図１３】ユーザ記述用シート１２００を印刷するときに、裏面画像を回転する仕様の例を示す図である。
【図１４】本発明の実施例３であるユーザ記述用シート１４００を示す図である。
【図１５】実施例３において、合成する際の画像において、シート印刷時にどのように回転するかを示す図である。
【図１６】ユーザ記述用シートを印刷するときに、裏面画像を回転する仕様の一例を示す図ある。
【図１７】実施例３において、印刷方向を基準にして、画像を反転する場合の動作を示すフローチャートである。
【図１８】実施例３において、印刷方向を基準にして、画像を反転し、さらに画像を１８０度回転させる動作を示すフローチャートである。
【符号の説明】
【０１３６】
１００…画像処理装置、
１０１…ＣＰＵ、
１０４…画像メモリ、
１０５…データ変換部、
１０８…操作表示部、
１１２…記録制御部、
１１３…記録部、
１１８…メモリカード、
１１９…デジタルカメラ、
３０１、８００、１２００、１４００…ユーザ記述用シート、
３０３…記述領域、
３０４…サンプル記述領域、
３０５…印字された画像、
３０６…ユーザ記述。
【図１】
0004587180.tif 000002
【図２】
0004587180.tif 000003
【図３】
0004587180.tif 000004
【図４】
0004587180.tif 000005
【図５】
0004587180.tif 000006
【図６】
0004587180.tif 000007
【図７】
0004587180.tif 000008
【図８】
0004587180.tif 000009
【図９】
0004587180.tif 000010
【図１０】
0004587180.tif 000011
【図１１】
0004587180.tif 000012
【図１２】
0004587180.tif 000013
【図１３】
0004587180.tif 000014
【図１４】
0004587180.tif 000015
【図１５】
0004587180.tif 000016
【図１６】
0004587180.tif 000017
【図１７】
0004587180.tif 000018
【図１８】
0004587180.tif 000019